(57)【要約】【課題】  乳房の大きさや形状など着用者の個人差による乳房形状に応じてフィットすると共に、バストを保持・寄せ上げて美しいシルエットを造り、かつ通気性に優れた着用感の良いカップ部を有する衣類を提供する。【解決手段】  モールド成形によって乳房に合致する椀形状の膨出部を有するカップ部１である。外側と肌側を伸縮性の軟質ポリウレタンフォーム２，３とする。少なくとも肌側の軟質ポリウレタンフォームに千鳥状のスリット６を刻設する。外側ポリウレタンフォーム２と肌側ポリウレタンフォーム３の間のカップ上辺部７から脇側辺部８、下辺部９にかけて非伸縮性生地４を介在して三層構造にする。【選択図】    図１
2006348423.tif 000002
【特許請求の範囲】
【請求項１】
モールド成形によって乳房に合致する椀形状の膨出部を有するカップ部であって、外側と肌側を伸縮性の軟質ポリウレタンフォームとし、少なくとも肌側の軟質ポリウレタンフォームに千鳥状のスリットを刻設し、外側ポリウレタンフォームと肌側ポリウレタンフォームの間のカップ上辺部から脇側辺部、下辺部にかけて非伸縮性生地を介在して三層構造に形成したことを特徴とするカップ部を有する衣類。
【請求項２】
外側ポリウレタンフォームの表面を被覆布で被覆されている請求項１に記載のカップ部を有する衣類。
【請求項３】
前記カップ部の下辺湾曲部に沿ってワイヤーを配設またはノンワイヤーとした請求項１または請求項２に記載のカップ部を有する衣類。
【発明の詳細な説明】
【技術分野】
【０００１】
本発明は、インナー、アウター、水着など乳房を受けるカップ部を有する衣類に関し、さらに詳しくは、着用者のバストにフィットする伸縮性とバストを形良く見せる補整性に優れたモールドカップを用いたカップ部を有する衣類に関するものである。
【背景技術】
【０００２】
従来から、立体的な丸みを持ち魅力的なバストシルエットを造るモールドカップは、縫製による接ぎ線がないことから、例えば、薄手のＴシャツや薄い生地のアウターを着用する時に着用されるのが多い。すなわち、薄手のＴシャツや薄い生地のアウターを着用すると、ブラジャーが透けて見えることになり、カップ部に縫い目があると、その縫い目が外から見えて目立ち、不体裁になることから縫い目のないモールドカップのブラジャーを着用してアウターを美しく着こなしている。（例えば、特許文献１）
【特許文献１】特開２０００−３４６０４号公報
【発明の開示】
【発明が解決しようとする課題】
【０００３】
しかしながら、上記特許文献１のカップは、モールド成型により形やサイズが決まっていることから、バストの大きさ・形状・乳房の位置などそれぞれ個人差があって千差万別な乳房形状にフィットしにくいと言う問題点があった。また、一般的なポリウレタンフォームからなるモールドカップは、ボリューム性と弾力性の点においては優れているものの、経時変化で黄変する欠点があって外観不良になるばかりでなく、通気性も悪く長時間着用すると蒸れてしまうと言った問題点があった。
【０００４】
本発明は、上記のような問題を解決することを課題として研究開発されたもので、バストの大きさや形状、乳房の位置に応じて伸縮しフィットすると共に、バストを保持・寄せ上げて美しいバストラインを発揮でき、かつ通気性に優れた着用感の良いモールドカップのカップ部を有する衣類を提供することを目的とするものである。
【課題を解決するための手段】
【０００５】
上記の課題を解決し、その目的を達成する手段として、本発明では、モールド成形によって乳房に合致する椀形状の膨出部を有するカップ部であって、外側と肌側を伸縮性の軟質ポリウレタンフォームとし、少なくとも肌側の軟質ポリウレタンフォームに千鳥状のスリットを刻設し、外側ポリウレタンフォームと肌側ポリウレタンフォームの間のカップ上辺部から脇側辺部、下辺部にかけて非伸縮性生地を介在して三層構造に形成したことを特徴とするカップ部を有する衣類を開発し、採用した。
【０００６】
上記のように構成したカップ部を有する衣類において、外側ポリウレタンフォームの表面を被覆布で被覆されているカップ部を有する衣類、および前記カップ部の下辺湾曲部に沿ってワイヤーを配設またはノンワイヤーとしたカップ部を有する衣類を開発し、採用した。
【発明の効果】
【０００７】
本発明は、伸縮性の軟質外側ポリウレタンフォームと伸縮性の軟質肌側ポリウレタンフォームでモールドカップ部を形成してあるから、バストの大きさや形状に応じてフィットするに充分な伸縮性があると共に、少なくとも肌側のポリウレタンフォームに千鳥状のスリットを設けてあるから、伸縮に応じてスリットが開口して縦方向および横方向により伸縮し、カップ自体に無理な引きつりや圧迫感がなく、バストのボリュームや形状に応じてよくフィットすると共に、通気性が良好となって蒸れを防ぐ事ができて長時間着用できる。また、軟質外側ポリウレタンフォームと軟質肌側ポリウレタンフォームの間に介在した非伸縮性生地により、乳房の脇側方向および下方向への伸縮性を阻止し、乳房を保持すると共に、寄せ上げてバストアップして、そのシルエットを美しく見せることができる。
【０００８】
さらに、軟質外側ポリウレタンフォームの表面を被覆布で被覆してあるから、その軟質外側ポリウレタンフォームが経時変化で黄変したとしても、隠されているので悪影響をおよぼすことがない。
【０００９】
また、カップ部の下辺湾曲部に沿ってワイヤーを配した場合には、バストの垂れ下がりおよび脇側への流れを阻止し、バスト全体の保持機能を有して造形機能を高めることができると共に、カップ部の下辺湾曲部がノンワイヤーの場合には、圧迫感がないことから着心地が良くなる。    
【発明の実施の形態】
【００１０】
以下に、本発明の実施の形態をカップ部を有する代表的な衣類のブラジャーについて説明するが、本発明はブラジャーのみに限定されるものではなく、図示していないが、例えば、ブラスリップ、ブラキャミ、ボディスーツ、スリーインワン、レオタ―ド、水着、カップ付きドレスなどのバストを支えるカップ部を有し、バストの保形、整形などの造形機能を必要とする衣類であれば、いずれにも適用できるものである。
【００１１】
図１〜図５は本発明の第１実施の形態を示しており、図１は３／４カップタイプのブラジャーを示している。１はバストを覆うカップ部で、カップ部の上部を１／４カットされた３／４カップ部であり、このカップ部１は、伸縮性の軟質外側ポリウレタンフォーム２と、同じく伸縮性の軟質肌側ポリウレタンフォーム３と、その軟質外側ポリウレタンフォーム２と軟質肌側ポリウレタンフォーム３の間に介在する非伸縮性生地４と、軟質外側ポリウレタンフォーム２の表面を覆う被覆布５とから構成されており、加熱成型で乳房に合致する椀形状の膨出部が形成されている。
【００１２】
軟質肌側ポリウレタンフォーム３には、図４に示すように、その全面に縦方向のスリット６が千鳥状に刻設されており、その軟質肌側ポリウレタンフォーム３が伸びることにより、図５に示すようにスリット６が開口して縦方向および横方向に伸縮すると共に、ポリウレタンフォーム特有の蒸れを防いで通気性を良好にしてある。この縦方向のスリット６は直線状に限らず波型やく字状でもよく、また等寸法の縦スリット６に限らず、長いスリットと短いスリットを交互に配してもよい。この縦スリット６の長さは４ｍｍ、隣接するスリット６とスリット６との間隔は６ｍｍの間隔で刻設するのが型崩れしにくく、かつ適度な伸縮性と通気性を有することから好適である。
【００１３】
軟質外側ポリウレタンフォーム２と軟質肌側ポリウレタンフォーム３間に介在する非伸縮性生地４は伸長し難い素材、例えば、綿、ポリエステルやナイロンとの混紡繊維などからなる編物地や織物地などが用いられる。この非伸縮性生地４は、カップ上辺部７の一側縁からカップ脇側辺部８、カップ下辺部９の中央部にかけて介在してあり、この非伸縮性生地４によってその介在部分は伸縮しないようになっている。すなわち、脇側および下方向への伸びを防ぎカップ脇側・下側から乳房を保持して寄せ上げるように構成されている。
【００１４】
５は軟質外側ポリウレタンフォーム２の表面を覆う被覆布で、外側ポリウレタンフォーム２の伸縮性に追随する天竺編やトリコット編みの伸縮性生地を使用するのが適している。
【００１５】
このように構成した本発明の第１実施の形態による使用状態を作用、効果と共に説明すると、上記のバストカップを装着したブラジャーを着用すると、伸縮性の軟質外側ポリウレタンフォーム２と伸縮性の軟質肌側ポリウレタンフォーム３と、少なくとも肌側ポリウレタンフォームに設けた縦方向のスリット６により、バストの大きさおよび形状に応じてフィットするように伸びてバスト形状にフィットすると共に、通気性が良くなり、蒸れを防いで良好な着心地になる。また、カップ上辺の一側縁部７からカップ脇側辺部８、カップ下辺中央部９にかけて非伸縮性生地４が介在されているから、その非伸縮性生地４により、乳房の脇側が押さえられ、かつ下辺部によって持ち上げられ、寄せて保持することからバストアップを図ると共に形を整えて美しく見せることができる。
また、軟質外側ポリウレタンフォームに軟質肌側ポリウレタンフォームと同様の千鳥状のスリットを設けることにより一層の伸縮性と通気性が良好になる。
【００１６】
つぎに、図６に示すのは本発明の第２実施の形態を示すもので、前記第１実施の形態と異なるのは、カップ部１の下辺湾曲部に沿ってワイヤー１０を添着してバストの下方への垂れ下がりおよび脇側への流れを阻止して、より造形性を高めたものであり、その他の点は前記第１実施の形態と全く同様であることから、その説明は省略すると共に、同一部分には同一符号を付してある。
【００１７】
さらに、図７、図８に示すのは本発明の第３実施の形態を示すもので、前記第１、第２実施の形態と異なるのは、３／４カップであったのが乳房の上部が露出するハーフカップになった点だけであり、その他の点は前記第１実施の形態と全く同様であることから、その説明は省略すると共に、同一部分には同一符号を付してある。
【００１８】
以上、本発明の主要な実施の形態について説明したが、本発明は上記実施の形態の３／４カップ，１／２カップのみに限定されるものではなく、例えば、図示していないが、フルカップやチューブトップのカップにも使用可能であって、要するに本発明の目的を達成でき、かつその要旨を逸脱しない範囲で種々の設計変更が可能であり、これらの設計変更も全て本発明に包含されるものである。
【産業上の利用可能性】
【００１９】
本発明は、ブラジャーに限らず、ブラスリップ、ブラキャミ、ボディスーツ、スリーインワン、レオタード、水着、カップ付きドレスなどのバストを支えるカップ部を有する女性用衣類に利用できるものである。
【図面の簡単な説明】
【００２０】
【図１】本発明の第１実施の形態を示すブラジャーの斜視図である。
【図２】カップ部の正面図である。
【図３】図２のＡ−Ａ線縦断面図である。
【図４】カップ部の分解図である。
【図５】スリットが広がった状態の説明図である。
【図６】本発明の第２実施の形態を示すブラジャーの斜視図である。
【図７】本発明の第３実施の形態を示すブラジャーの斜視図である。
【図８】カップ部の正面図である。
【符号の説明】
【００２１】
１    カップ部
２    外側ウレタンフォーム
３    肌側ウレタンフォーム
４    非伸縮性生地
５    被覆布
６    スリット
７    上辺部
８    脇側辺部
９    下辺部
１０  ワイヤー  
【図１】
2006348423.tif 000003
【図２】
2006348423.tif 000004
【図３】
2006348423.tif 000005
【図４】
2006348423.tif 000006
【図５】
2006348423.tif 000007
【図６】
2006348423.tif 000008
【図７】
2006348423.tif 000009
【図８】
2006348423.tif 000010